(57)【要約】【課題】表示品位が良好であって、アクティブエリアの面積を縮小することなく見栄えの良好な非矩形状のアクティブエリアを備えた液晶表示装置を提供すること。【解決手段】  配線部Ｗを備えたアレイ基板２００と、  画像を表示するアクティブエリア１２０の周辺に配置された周辺遮光層５００を備えた対向基板３００と、  アレイ基板２００と対向基板３００との間に保持された液晶層４００と、を備え、  アクティブエリアは、非矩形状に形成され、  アクティブエリアを構成する複数の画素ＰＸのそれぞれは、互いに異なる色を表示する複数のサブピクセルＳＰＸを有し、  画素ＰＸのうち、周辺遮光層５００と重なる周縁画素ＰＸＰにおいては、周縁画素ＰＸＰを構成するサブピクセルＳＰＸのそれぞれの表示面積が略同一であることを特徴とする。【選択図】      図３
2010032638.tif 000002
【特許請求の範囲】
【請求項１】
配線部を備えた第１基板と、
画像を表示するアクティブエリアの周辺に配置された周辺遮光層を備えた第２基板と、
第１基板と第２基板との間に保持された液晶層と、を備え、
アクティブエリアは、非矩形状に形成され、
アクティブエリアを構成する複数の画素のそれぞれは、互いに異なる色を表示する複数のサブピクセルを有し、
画素のうち、周辺遮光層と重なる周縁画素においては、周縁画素を構成するサブピクセルのそれぞれの表示面積が略同一であることを特徴とする液晶表示装置。
【請求項２】
アクティブエリアは、実質的に円形状又は楕円形状に形成されたことを特徴とする請求項１に記載の液晶表示装置。
【請求項３】
周縁画素を構成する少なくとも１つのサブピクセルは、その一部を遮光する遮光体を有することを特徴とする請求項１に記載の液晶表示装置。
【請求項４】
画素のそれぞれは第１サブピクセル及び第２サブピクセルを有し、
周縁画素において、第１サブピクセルにはその一部に周辺遮光層が重なり、第２サブピクセルには第１サブピクセルの表示面積と略同一となるように遮光体が配置されたことを特徴とする請求項３に記載の液晶表示装置。
【請求項５】
第１サブピクセル及び第２サブピクセルにおいて、周辺遮光層及び遮光体によって遮光された面積が略同一であることを特徴とする請求項４に記載の液晶表示装置。
【請求項６】
画素のそれぞれは第１サブピクセル及び第２サブピクセルを有し、
周縁画素を構成する第１サブピクセル及び第２サブピクセルは、それぞれの一部を遮光する遮光体を有することを特徴とする請求項１に記載の液晶表示装置。
【請求項７】
周縁画素において、第１サブピクセルには、その一部に周辺遮光層が重なるとともに第２サブピクセルの表示面積と略同一となるように遮光体が配置されたことを特徴とする請求項６に記載の液晶表示装置。
【請求項８】
第１サブピクセルに配置された遮光体によって遮光された面積は、第２サブピクセルに配置された遮光体によって遮光された面積より小さいことを特徴とする請求項７に記載の液晶表示装置。
【請求項９】
遮光体は、第１基板に配置され、配線部と同一材料によって形成されたことを特徴とする請求項３に記載の液晶表示装置。
【請求項１０】
遮光体は、第２基板に配置され、周辺遮光層と同一材料によって形成されたことを特徴とする請求項３に記載の液晶表示装置。
【発明の詳細な説明】
【技術分野】
【０００１】
この発明は、液晶表示装置に係り、特に、円形状や楕円形状などの非矩形状のアクティブエリアを備えた晶表示装置に関する。
【背景技術】
【０００２】
平面表示装置として代表的な液晶表示装置は、軽量、薄型、低消費電力などの特徴を生かして、パーソナルコンピュータやテレビなどのＯＡ機器などの表示装置として種分野で利用されている。近年では、液晶表示装置は、携帯電話などの携帯端末機器や、カーナビゲーション装置、ゲーム機などの表示装置として利用されるだけでなく、自動車等の計器板（インパネ）などにも利用されている。
【０００３】
このため、画像を表示するアクティブエリアの形状は、従前の矩形状に留まらず、円形状や楕円形状などといった用途に応じた種々の形状への対応が望まれている。
【０００４】
例えば、特許文献１によれば、実質的に楕円形または円形形状に形成された表示エリアを備えた液晶表示装置が提案されている。特に、この特許文献１においては、省スペース化を図るために、縦長矩形状をなしたアレイ基板及びカラーフィルタ基板のそれぞれの隅部が表示エリア近くまでカットされている。
【特許文献１】特開２００６−２７６３５９号公報
【発明の開示】
【発明が解決しようとする課題】
【０００５】
カラー表示タイプの液晶表示装置においては、画素は、例えば、赤色サブピクセル、緑色サブピクセル、及び、青色サブピクセルを有している。画素を構成するサブピクセルの一部がハウジングなどによって遮光された場合、画素の色バランスが崩れ、所望の色とは異なる色に表示されるおそれがある。例えば、赤色サブピクセルの一部のみが遮光された場合、画素全体における赤色の透過率または反射率が低下し、所望の色表示ができなくなる。
【０００６】
このような色ずれを抑制するために、サブピクセルの一部が遮光された画素全体をブラックマトリクスなどの遮光層によって遮光してしまう方法もあるが、その分、アクティブエリアが狭くなってしまう。また、アクティブエリアのエッジがドットパターンによって形成されるため、楕円形状や円形状のアクティブエリアにおけるエッジの滑らかさが不足し、見栄えが悪いといった課題もある。
【０００７】
この発明は、上述した問題点に鑑みなされたものであって、その目的は、表示品位が良好であって、アクティブエリアの面積を縮小することなく見栄えの良好な非矩形状のアクティブエリアを備えた液晶表示装置を提供することにある。
【課題を解決するための手段】
【０００８】
この発明の態様による液晶表示装置は、
配線部を備えた第１基板と、
画像を表示するアクティブエリアの周辺に配置された周辺遮光層を備えた第２基板と、
第１基板と第２基板との間に保持された液晶層と、を備え、
アクティブエリアは、非矩形状に形成され、
アクティブエリアを構成する複数の画素のそれぞれは、互いに異なる色を表示する複数のサブピクセルを有し、
画素のうち、周辺遮光層と重なる周縁画素においては、周縁画素を構成するサブピクセルのそれぞれの表示面積が略同一であることを特徴とする。
【発明の効果】
【０００９】
この発明によれば、表示品位が良好であって、アクティブエリアの面積を縮小することなく見栄えの良好な非矩形状のアクティブエリアを備えた液晶表示装置を提供することができる。
【００１０】
すなわち、非矩形状のアクティブエリアを構成する画素のうち、周辺遮光層と重なる周縁画素は、互いに異なる色を表示する複数のサブピクセルのそれぞれの表示面積が略同一である。このため、周縁画素における色バランスを維持することができ、所望の色表示が可能となる。したがって、良好な表示品位を得ることが可能となる。
【００１１】
また、周縁画素がアクティブエリアの画像表示に寄与するため、アクティブエリアの面積を縮小することなく、非矩形状のアクティブエリアのエッジが滑らかとなり、見栄えを改善することが可能となる。特に、エッジが曲線状であっても滑らかに表示形成することが可能となり、見栄えの良好な種々の形状のアクティブエリアを用途に応じて実現可能である。
【発明を実施するための最良の形態】
【００１２】
以下、この発明の一実施の形態に係る液晶表示装置、特に非矩形状のアクティブエリアを備えた液晶表示装置について図面を参照して説明する。
【００１３】
図１及び図２に示すように、液晶表示装置は、液晶表示パネル１００を備えている。この液晶表示パネル１００は、一対の基板すなわちアレイ基板（第１基板）２００及び対向基板（第２基板）３００と、アレイ基板２００と対向基板３００との間に保持された液晶層４００と、によって構成されている。このような液晶表示パネル１００は、画像を表示する非矩形状のアクティブエリア１２０を備えている。
【００１４】
ここに示した例では、液晶表示パネル１００は、略円形状のアクティブエリア１２０を備えている。すなわち、この液晶表示パネル１００は略円形状であって、液晶表示パネル１００を構成するアレイ基板２００及び対向基板３００も共に略円形状に形成されている。
【００１５】
これらのアレイ基板２００と対向基板３００とは、シール材１１０によって貼り合わせられ、これらの間に液晶層４００を保持するための所定のセルギャップを形成する。液晶層４００は、アレイ基板２００と対向基板３００との間のセルギャップに封入された液晶組成物によって形成されている。アクティブエリア１２０は、シール材１１０によって囲まれた内側に備えられている。
【００１６】
このアクティブエリア１２０は、複数の画素ＰＸによって構成されている。特に、この実施の形態において説明する液晶表示装置は、カラー表示タイプであって、画素ＰＸは、互いに異なる色を表示する複数のサブピクセルＳＰＸによって構成されている。例えば、画素ＰＸは、赤色サブピクセルＰＸＲ、緑色サブピクセルＰＸＧ、青色サブピクセルＰＸＢによって構成されている。
【００１７】
アレイ基板２００は、ガラスなどの光透過性を有する略円形状の絶縁基板２１０を用いて形成される。すなわち、アレイ基板２００は、アクティブエリア１２０において、画素ＰＸの行方向に沿って延在する複数のゲート線Ｙ（１、２、３、…、ｍ）、画素ＰＸの列方向に沿って延在する複数のソース線Ｘ（１、２、３、…、ｎ）、画素ＰＸにおけるソース線Ｘとゲート線Ｙとの交差部に配置されたスイッチング素子２２０、画素ＰＸのそれぞれに配置されスイッチング素子２２０に接続された画素電極２３０などを備えて構成されている。
【００１８】
ゲート線Ｙは、絶縁基板２１０の上に配置されている。ソース線Ｘは、ゲート絶縁膜２４０を介してゲート線Ｙと交差するように配置されている。これらのゲート線Ｙ及びソース線Ｘは、モリブデン、タングステン、アルミニウムなどの導電材料によって形成されている。
【００１９】
アクティブエリア１２０に配置されたゲート線Ｙのそれぞれは、アレイ基板上の外周部１３０に引き出され、信号源であるゲートドライバＹＤに接続されている。また、ソース線Ｘのそれぞれも同様に、外周部１３０に引き出され、信号源であるソースドライバＸＤに接続されている。
【００２０】
スイッチング素子２２０は、例えば薄膜トランジスタ（ＴＦＴ）によって構成されている。
【００２１】
スイッチング素子２２０のゲート電極２２２は、ゲート線Ｙなどとともに絶縁基板２１０の上に配置され、ゲート線Ｙに接続されている（あるいは、ゲート電極２２２は、ゲート線Ｙと一体的に形成されている）。これらのゲート線Ｙ及びゲート電極２２２は、ゲート絶縁膜２４０によって覆われている。このゲート絶縁膜２４０は、例えば、窒化シリコン（Ｓｉ3Ｎ４）などによって形成されている。
【００２２】
スイッチング素子２２０の半導体層２４２は、ゲート電極２２２と対向するようにゲート絶縁膜２４０の上に配置されている。この半導体層２４２は、例えばアモルファスシリコンやポリシリコンなどによって形成されている。
【００２３】
スイッチング素子２２０のソース電極２２５及びドレイン電極２２７は、ソース線Ｘなどとともにゲート絶縁膜２４０の上に配置され、それぞれの一部が半導体層２４２にコンタクトしている。
【００２４】
ソース電極２２５は、ソース線Ｘに接続されている（あるいは、ソース２２５は、ソース線Ｘと一体的に形成されている）。ドレイン電極２２７は、画素電極２３０に接続されている。これらのソース線Ｘ、ソース電極２２５及びドレイン電極２２７は、パッシベーション膜２４４によって覆われている。このパッシベーション膜２４４は、例えば、窒化シリコン（Ｓｉ3Ｎ４）などによって形成されている。
【００２５】
画素電極２３０は、パッシベーション膜２４４の上において画素ＰＸに対応して配置されている。この画素電極２３０は、パッシベーション膜２４４に形成されたコンタクトホールを介してスイッチング素子２２０のドレイン電極２２７と電気的に接続されている。
【００２６】
バックライト光を選択的に透過して画像を表示する透過型の液晶表示パネルにおいては、画素電極２３０は、例えば、インジウム・ティン・オキサイド（ＩＴＯ）やインジウム・ジンク・オキサイド（ＩＺＯ）などの光透過性を有する導電材料によって形成されている。また、外光を選択的に反射して画像を表示する反射型液晶表示パネルにおいては、画素電極２３０は、例えば、アルミニウム（Ａｌ）やモリブデン（Ｍｏ）などの光反射性を有する導電材料によって形成されている。
【００２７】
このようなアレイ基板２００の表面は、液晶層４００に含まれる液晶分子の配向を制御するための配向膜２５０によって覆われている。
【００２８】
対向基板３００は、ガラスなどの光透過性を有する略円形状の絶縁基板３１０を用いて形成される。すなわち、対向基板３００は、アクティブエリア１２０において、ゲート線Ｙやソース線Ｘなどの他にスイッチング素子２２０を含む配線部Ｗと対向するブラックマトリクスＢＭ、サブピクセルに対応して配置されたカラーフィルタ層３２０などを備えている。
【００２９】
ブラックマトリクスＢＭは、絶縁基板３１０の上に配置されている。このブラックマトリクスＢＭは、例えば黒色に着色された樹脂によって形成されている。
【００３０】
カラーフィルタ層３２０は、ブラックマトリクスＢＭによって囲まれた領域に配置されている。このカラーフィルタ層３２０は、赤色（Ｒ）、緑色（Ｇ）、及び青色（Ｂ）にそれぞれ着色された着色樹脂によって形成されている。
【００３１】
すなわち、赤色の主波長の光を透過するように着色された赤色カラーフィルタ層３２０Ｒは赤色サブピクセルＰＸＲに配置されている。緑色の主波長の光を透過するように着色された緑色カラーフィルタ層３２０Ｇは緑色サブピクセルＰＸＧに配置されている。青色の主波長の光を透過するように着色された青色カラーフィルタ層３２０Ｂは青色サブピクセルＰＸＢに配置されている。なお、このようなカラーフィルタ層３２０（Ｒ、Ｇ、Ｂ）は、アレイ基板側に配置されていても良い。
【００３２】
また、対向基板３００は、アクティブエリア１２０の周辺に配置された周辺遮光層５００を備えている。この周辺遮光層５００は、たとえば黒色に着色された樹脂によって形成されている。このような周辺遮光層５００は、ブラックマトリクスＢＭと同一材料により同一工程で形成可能である。
【００３３】
画素電極２３０との間の電位差により液晶層４００に電圧を印加するためのコモン電極３３０は、アレイ基板２００に備えられても良いし、対向基板３００に備えられても良い。このようなコモン電極３３０は、ＩＴＯなどの光透過性を有する導電材料によって形成されている。
【００３４】
図２に示した例では、縦電界（基板の主面にほぼ垂直な電界）を主として利用する縦電界モードに対応し、コモン電極３３０は、液晶層５を介して複数の画素電極８に対向するように対向基板３００に備えられている。なお、横電界（基板の主面にほぼ平行な電界）を主として利用する横電界モードでは、コモン電極３３０は、画素電極２３０とは電気的に絶縁され且つ画素電極２３０に対向するようにアレイ基板２００に備えられる。
【００３５】
このような対向基板３００の表面は、液晶層４００に含まれる液晶分子の配向を制御するための配向膜３５０によって覆われている。
【００３６】
反射型の液晶表示パネル１００に対しては、対向基板３００の外面に光学素子３６０が設けられている。また、透過型の液晶表示パネル１００に対しては、アレイ基板２００及び対向基板３００の外面に、それぞれ光学素子２６０及び３６０が設けられている。これらの光学素子２６０及び３６０は、液晶層４００の特性に合わせて偏光方向を設定した偏光板などを含んでいる。
【００３７】
上述したような構成の液晶表示パネル１００において、ほぼ円形状のアクティブエリア１２０を構成する画素ＰＸのうち、周辺遮光層５００と重なる周縁画素ＰＸＰにおいては、サブピクセルＳＰＸのそれぞれの表示面積が略同一である。つまり、周縁画素ＰＸＰを構成する赤色サブピクセルＰＸＲ、緑色サブピクセルＰＸＧ、及び、青色サブピクセルＰＸＢは、いずれも略同一の表示面積を有するように構成されている。当然のことながら、周辺遮光層５００に重ならない画素ＰＸについても、全てのサブピクセルＳＰＸの表示面積が略同一である。
【００３８】
ここで、サブピクセルＳＰＸの表示面積とは、配線部Ｗで区画された領域、あるいはブラックマトリクスＢＭで区画された領域のうちの実質的に表示に寄与する領域の面積に相当し、透過型の液晶表示パネルについてはバックライト光を透過可能な面積に相当し、反射型の液晶表示パネルについては外光を反射可能な面積に相当する。
【００３９】
このような本構成によれば、周縁画素ＰＸＰにおいても、他の画素ＰＸと同様の色バランスを維持することができる。つまり、一部のサブピクセルＳＰＸのみに周辺遮光層５００が重なったとしても、同一周縁画素ＰＸＰを構成する全てのサブピクセルＳＰＸが略同一の表示面積であるため、所望の色表示が可能となる。したがって、周縁画素ＰＸＰを含むアクティブエリア１２０の全体において良好な表示品位を得ることが可能となる。
【００４０】
また、周縁画素ＰＸＰがアクティブエリア１２０の画像表示に寄与するため、周辺遮光層５００に重なる周縁画素全体を遮光した場合と比較して、アクティブエリア１２０の面積が縮小することはなく、周縁画素ＰＸＰによって形成されるアクティブエリア１２０のエッジが滑らかとなり、見栄えを改善することが可能となる。
【００４１】
特に、実質的に円形状や楕円形状などのアクティブエリア１２０を形成する場合には、エッジが曲線状となるが、このような場合であってもエッジを滑らかに表示形成することが可能となる。これにより、見栄えの良好な種々の形状のアクティブエリア１２０を用途に応じて実現可能である。
【００４２】
以下に、より具体的な実施形態について説明する。
【００４３】
≪第１実施形態≫
この第１実施形態においては、周縁画素ＰＸＰを構成する少なくとも１つのサブピクセルＳＰＸは、その一部を遮光する遮光体を有している。
【００４４】
例えば、周縁画素ＰＸＰにおいて、赤色サブピクセルＰＸＲの一部のみに周辺遮光層５００が重なっている場合、赤色サブピクセルＰＸＲの表示面積が他のサブピクセルＰＸＧ及びＰＸＢと比較して小さくなってしまう。このような表示面積の差を解消するために、図３に示すように、緑色サブピクセルＰＸＧ及び青色サブピクセルＰＸＢには、赤色サブピクセルＰＸＲの表示面積と略同一となるように遮光体６００が配置されている。
【００４５】
周辺遮光層５００と重ならない画素ＰＸにおいて、すべてのサブピクセルＳＰＸの表示面積が同一である場合、これと同一構成の周縁画素ＰＸＰにおいては、全てのサブピクセルＳＰＸにおいて、周辺遮光層５００及び遮光体６００によって遮光された面積が略同一である。つまり、ここに示した例では、赤色サブピクセルＰＸＲにおいて周辺遮光層５００によって遮光された面積は、緑色サブピクセルＰＸＧ及び青色サブピクセルＰＸＢにおいて遮光体６００によって遮光された面積と略同一である。
【００４６】
また、周縁画素ＰＸＰにおいて、赤色サブピクセルＰＸＲの一部及び緑色サブピクセルＰＸＧの一部に周辺遮光層５００が重なっている場合には、赤色サブピクセルＰＸＲ及び緑色サブピクセルＰＸＧの表示面積が青色サブピクセルＰＸＢと比較して小さくなってしまう。ここでは、特に、周辺遮光層５００によって遮光される面積が緑色サブピクセルＰＸＧよりも赤色サブピクセルＰＸＲが大きい場合を考える。
【００４７】
このような表示面積の差を解消するためには、図４に示すように、緑色サブピクセルＰＸＧ及び青色サブピクセルＰＸＢには、それぞれ遮光体６００が配置されている。このとき、緑色サブピクセルＰＸＧを遮光する遮光体６００の面積は、青色サブピクセルＰＸＢを遮光する遮光体の面積よりも小さい。
【００４８】
周辺遮光層５００と重ならない画素ＰＸにおいて、すべてのサブピクセルＳＰＸの表示面積が同一である場合、これと同一構成の周縁画素ＰＸＰにおいては、全てのサブピクセルＳＰＸにおいて、周辺遮光層５００及び遮光体６００によって遮光された面積が略同一である。つまり、ここに示した例では、赤色サブピクセルＰＸＲにおいて周辺遮光層５００によって遮光された面積、緑色サブピクセルＰＸＧにおいて周辺遮光層５００及び遮光体６００によって遮光された面積、及び、青色サブピクセルＰＸＢにおいて遮光体６００によって遮光された面積は、略同一である。
【００４９】
上述したような第１実施形態によれば、周縁画素ＰＸＰが表示に寄与するとともに、周縁画素ＰＸＰにおける色バランスを最適な状態に維持することが可能となる。したがって、表示品位が良好であって、アクティブエリア１２０の面積を縮小することなく見栄えの良好な非矩形状のアクティブエリア１２０を備えた液晶表示装置を提供できる。
【００５０】
ところで、上述した遮光体６００は、アレイ基板２００に配置されても良いし、対向基板３００に配置されても良い。
【００５１】
例えば、遮光体６００がアレイ基板２００に配置される場合、遮光体６００は、配線部Ｗと同一材料によって形成可能である。図５に示した例では、遮光体６００は、ゲート線Ｙなどと同一材料によって形成され、ゲート線Ｙなどと同一工程で形成可能である。このようなゲート線Ｙなどの配線部Ｗは、上述したように光透過性を有していない導電材料によって形成されており、遮光体として機能する。遮光体６００としては、サブピクセルＳＰＸ内で島状に配置しても良いし、配線部Ｗの幅を局所的に拡大して形成しても良い。
【００５２】
また、遮光体６００が対向基板３００に配置される場合、図６に示すように、遮光体６００は、周辺遮光層５００と同一材料によって形成可能である。遮光体６００としては、サブピクセルＳＰＸ内で島状に配置しても良いし、ブラックマトリクスＢＭの幅を局所的に拡大して形成しても良い。
【００５３】
なお、遮光体６００がアレイ基板２００に配置される場合には、遮光体６００は画素電極２３０よりも絶縁基板２１０側に配置されることから、透過型の液晶表示パネルに好適である。
【００５４】
また、遮光体６００が対向基板３００に配置される場合には、画素電極２３０を形成する導電材料の光透過性を考慮する必要がないことから、透過型及び反射型のいずれの液晶表示パネルにも好適である。
【００５５】
≪第２実施形態≫
この第２実施形態においては、アクティブエリア１２０を構成する画素ＰＸは、いずれもそれぞれの一部を遮光する遮光体を有している。
【００５６】
例えば、図７に示すように、周辺遮光層５００と重ならない画素ＰＸにおいては、赤色サブピクセルＰＸＲ、緑色サブピクセルＰＸＧ、及び、青色サブピクセルＰＸＢのサブピクセルＳＰＸには、表示面積が略同一となるように遮光体６００が配置されている。ここでは、例えば、サブピクセルＳＰＸの画素面積は同一であり、サブピクセルＳＰＸの遮光体６００は、表示面積が画素面積の５０％となるように配置されている。
【００５７】
つまり、この第２実施形態においては、アクティブエリア１２０の全画素ＰＸについて、遮光体６００を配置して略同一の表示面積を積極的に遮光し、通常レイアウトした場合よりも予め表示面積を低減しておく。
【００５８】
図８に示すように、周縁画素ＰＸＰにおいても、赤色サブピクセルＰＸＲ、緑色サブピクセルＰＸＧ、及び、青色サブピクセルＰＸＢのサブピクセルＳＰＸには、それぞれの一部を遮光するように遮光体６００が配置されている。
【００５９】
特に、図８に示すように、周縁画素ＰＸＰにおいて、赤色サブピクセルＰＸＲの一部のみに周辺遮光層５００が重なっている場合には、遮光体６００が同一面積を遮光するように配置されると、赤色サブピクセルＰＸＲの表示面積が他のサブピクセルＰＸＧ及びＰＸＢと比較して小さくなってしまう。
【００６０】
このため、このような表示面積の差を解消するために、赤色サブピクセルＰＸＲには遮光体６００が配置されるものの、赤色サブピクセルＰＸＲの遮光体６００は、緑色サブピクセルＰＸＧ及び青色サブピクセルＰＸＢの表示面積と略同一となるように配置されている。
【００６１】
つまり、赤色サブピクセルＰＸＲに配置された遮光体６００によって遮光された面積は、緑色サブピクセルＰＸＧ及び青色サブピクセルＰＸＢに配置された遮光体６００によって遮光された面積よりも小さい。換言すると、赤色サブピクセルＰＸＲにおいて、周辺遮光層５００及び遮光体６００によって遮光された面積は、緑色サブピクセルＰＸＧ及び青色サブピクセルＰＸＢにおいて遮光体６００によって遮光された面積と略同一である。
【００６２】
また、周縁画素ＰＸＰにおいて、赤色サブピクセルＰＸＲの一部及び緑色サブピクセルＰＸＧの一部に周辺遮光層５００が重なっている場合には、赤色サブピクセルＰＸＲ及び緑色サブピクセルＰＸＧの表示面積が青色サブピクセルＰＸＢと比較して小さくなってしまう。ここでは、特に、周辺遮光層５００によって遮光される面積が緑色サブピクセルＰＸＧよりも赤色サブピクセルＰＸＲが大きい場合を考える。
【００６３】
このような表示面積の差を解消するためには、図９に示すように、赤色サブピクセルＰＸＲ及び緑色サブピクセルＰＸＧにはそれぞれ遮光体６００が配置されるものの、遮光体６００は、サブピクセルＳＰＸの表示面積と略同一となるように配置されている。
【００６４】
つまり、赤色サブピクセルＰＸＲに配置された遮光体６００によって遮光された面積は、緑色サブピクセルＰＸＧに配置された遮光体６００によって遮光された面積よりも小さい。また、緑色サブピクセルＰＸＧに配置された遮光体６００によって遮光された面積は、青色サブピクセルＰＸＢに配置された遮光体６００によって遮光された面積よりも小さい。換言すると、赤色サブピクセルＰＸＲ及び緑色サブピクセルＰＸＧにおいて、周辺遮光層５００及び遮光体６００によって遮光された面積は、青色サブピクセルＰＸＢにおいて遮光体６００によって遮光された面積と略同一である。
【００６５】
上述したような第２実施形態によれば、第１実施形態と同様の効果が得られ、表示品位が良好であって、アクティブエリア１２０の面積を縮小することなく見栄えの良好な非矩形状のアクティブエリア１２０を備えた液晶表示装置を提供できる。
【００６６】
ところで、この第２実施形態において適用した遮光体６００についても、上述したように、アレイ基板２００に配置されても良いし、対向基板３００に配置されても良い。つまり、遮光体６００は、配線部Ｗと同一材料によって形成しても良いし、周辺遮光層５００と同一材料によって形成しても良い。
【００６７】
なお、この発明は、実施形態そのままに限定されるものではなく、その実施の段階ではその要旨を逸脱しない範囲で構成要素を変形して具体化できる。また、実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００６８】
【図１】図１は、この発明の一実施の形態に係る液晶表示装置の液晶表示パネルの構成を概略的に示す図である。
【図２】図２は、図１に示した液晶表示パネルの構成を概略的に示す断面図である。
【図３】図３は、第１実施形態に係る液晶表示装置における周縁画素の構成を概略的に示す図である。
【図４】図４は、第１実施形態に係る液晶表示装置における他の周縁画素の構成を概略的に示す図である。
【図５】図５は、本実施形態において周縁画素に適用される遮光体の構造を概略的に示す断面図である。
【図６】図６は、本実施形態において周縁画素に適用される遮光体の他の構造を概略的に示す断面図である。
【図７】図７は、第２実施形態に係る液晶表示装置においてアクティブエリアの画素の構成を概略的に示す図である。
【図８】図８は、第２実施形態に係る液晶表示装置における周縁画素の構成を概略的に示す図である。
【図９】図９は、第２実施形態に係る液晶表示装置における他の周縁画素の構成を概略的に示す図である。
【符号の説明】
【００６９】
１００…液晶表示パネル
２００…アレイ基板  ３００…対向基板  ４００…液晶層
１２０…アクティブエリア  ＰＸ…画素  ＰＸＰ…周縁画素  ＳＰＸ…サブピクセル
Ｗ…配線部  Ｙ…ゲート線  Ｘ…ソース線  ＢＭ…ブラックマトリクス
２２０…スイッチング素子  ２３０…画素電極
３２０…カラーフィルタ層  ３３０…対向電極
５００…周辺遮光層  ６００…遮光体
【図１】
2010032638.tif 000003
【図２】
2010032638.tif 000004
【図３】
2010032638.tif 000005
【図４】
2010032638.tif 000006
【図５】
2010032638.tif 000007
【図６】
2010032638.tif 000008
【図７】
2010032638.tif 000009
【図８】
2010032638.tif 000010
【図９】
2010032638.tif 000011